(57)【要約】【課題】高い攪拌効果を備えながら、清掃が容易で、かつ、形状の自由度の高いインラインミキサを提供する。【解決手段】本発明は、上記課題を解決するため、管状の鎖充填部と、当該鎖充填部内部に充填した鎖と、鎖充填部に着脱可能に接続して鎖を鎖充填部の内部に封止する封止部と、を少なくとも備えていることを特徴とする、インラインミキサの構成とした。さらに、前記鎖が、前記鎖充填部内で揺動しない長さを有することを特徴とする前記インラインミキサの構成とした。【選択図】図１
2020163357.tif 000002
【特許請求の範囲】
【請求項１】
管状の鎖充填部と、
当該鎖充填部内部に充填した鎖と、
前記鎖充填部に着脱可能に接続して前記鎖を前記鎖充填部の内部に封止する封止部と、
を少なくとも備えていることを特徴とする、インラインミキサ。
【請求項２】
前記鎖が、前記鎖充填部内で揺動しない長さを有することを特徴とする請求項１に記載のインラインミキサ。
【請求項３】
前記鎖を複数本備え、それら鎖が前記鎖充填部内で揺動しない合計長さを有することを特徴とする請求項１に記載のインラインミキサ。
【請求項４】
前記封止部として、
内径が前記鎖の輪の短径よりも小さい細径部を有する細径管、
前記鎖を前記鎖充填部内に封止する曲率を有する曲管、
前記鎖充填部に脚部が接続しかつ前記鎖を前記鎖充填部内に封止する前記Ｔ字管またはＹ字管、
前記鎖の輪の短径よりも小さい網目のネット、および、
前記鎖の輪の短径よりも小さい直径の孔を１つ以上有する有孔板から選ばれる１種又は２種以上を備えることを特徴とする
請求項１ないし請求項３のいずれか１項に記載のインラインミキサ。
【発明の詳細な説明】
【技術分野】
【０００１】
本発明は、インラインミキサに関し、特に内部の清掃が容易なインラインミキサに関する。
【背景技術】
【０００２】
インラインミキサはスタティックミキサの１種で、流体が流れる配管に管状のインラインミキサを接続すると、インラインミキサ内部のエレメントが流体を攪拌するので、無動力で流体を攪拌混合できる。このようなインラインミキサは流体を取り扱う装置の配管に組み込まれる。
しかしながら、特に液体を送液する場合に、流体中の夾雑物が詰まり、流体を送ることができなくなる、あるいは十分な流速で送れなくなるなどの問題が生じることがある。
【０００３】
その場合、インラインミキサを分解して清掃するが、その内部のエレメントは良好な攪拌性を得るために、たとえば特許文献１で提案されているような複雑な形状を有するものが多く、清掃に手間と時間がかかる。
【０００４】
また、従来のインラインミキサは形状の自由度が低く、事実上すべてが直管タイプであり、たとえば、組み込む装置の設計上の要求を満たすことが困難である。
さらに、装置組み込みの際に、たとえば装置小型化のために部分的にパイプベンダなどで曲げる等による対応が困難であり、また、曲げた場合には、分解によるエレメントの取り出しができず、分解による清掃が非常に困難となる。
【先行技術文献】
【特許文献】
【０００５】
【特許文献１】特開２００１−１２０９７３号公報
【発明の概要】
【発明が解決しようとする課題】
【０００６】
本発明は、このような従来技術の問題点を解決することを目的としている。すなわち、高い攪拌効果を備えながら、清掃が容易で、かつ、形状の自由度の高いインラインミキサを提供することを目的とする。
【課題を解決するための手段】
【０００７】
上記課題を解決するために、本発明のインラインミキサは、管状の鎖充填部と、当該鎖充填部内部に充填した鎖と、前記鎖充填部に着脱可能に接続して前記鎖を前記鎖充填部の内部に封止する封止部と、を少なくとも備えていることを特徴とする。
【０００８】
また、本発明のインラインミキサは、上記構成に加え、前記鎖が、前記鎖充填部内で揺動しない長さを有する構成か、または、前記鎖を複数本備え、それら鎖が前記鎖充填部内で揺動しない合計長さを有する構成とすることができる。
【０００９】
また、本発明のインラインミキサは、上記構成に加え、前記封止部として、内径が前記鎖の輪の短径よりも小さい細径部を有する細径管、前記鎖を前記鎖充填部内に封止する曲率を有する曲管、前記鎖充填部に脚部が接続しかつ前記鎖を前記鎖充填部内に封止する前記Ｔ字管またはＹ字管、前記鎖の輪の短径よりも小さい網目のネット、および、前記鎖の輪の短径よりも小さい直径の孔を１つ以上有する有孔板から選ばれる１種又は２種以上を備える構成とすることができる。
【発明の効果】
【００１０】
本発明のインラインミキサは、管状の鎖充填部と、鎖充填部内部に充填した鎖と、鎖充填部に着脱可能に接続して鎖を鎖充填部の内部に封止する封止部と、を少なくとも備えている構成により、清掃時に、鎖充填部内部の鎖を取り出して鎖自身をこすり合わせる、あるいは、水や適当な溶媒の中に鎖を、浸漬する、引き上げる、を繰り返すだけで容易に鎖に付着した夾雑物を除去できる。
また、鎖は一般的な素材であり、防錆性や耐薬品性に優れたステンレス製や樹脂製のものが容易に入手でき、かつ、低廉である。
また、鎖充填部をパイプベンダなどで部分的に曲げた場合であっても、曲率が大きすぎる場合以外は、内部の鎖を取り出して、その清掃が可能であるので、高い形状の自由度を備えることができる。
【００１１】
また、上記構成に加え、鎖が鎖充填部内で揺動しない長さを有する構成か、または、鎖を複数本備え、それら鎖が鎖充填部内で揺動しない合計長さを有する構成により、鎖充填部の内部の鎖の充填量が多くなる。
その結果、インラインミキサ内部の流体の流れが複雑となって攪拌性能が向上するとともに、鎖が鎖充填部内で揺動しないので、鎖や鎖充填部の磨耗や破壊による破片や異粉の発生を防ぐことが可能となる。
【００１２】
また、上記構成に加え、封止部として、内径が鎖の輪の短径よりも小さい細径部を有する細径管、鎖を鎖充填部内に封止する曲率を有する曲管、鎖充填部に脚部が接続しかつ鎖を鎖充填部内に封止するＴ字管またはＹ字管、鎖の輪の短径よりも小さい網目のネット、および、鎖の輪の短径よりも小さい直径の孔を１つ以上有する有孔板から選ばれる１つ以上を備える構成とすることにより、入手が容易な配管材料により低コストでインラインミキサを構成することができる。
【図面の簡単な説明】
【００１３】
【図１】本発明のインラインミキサの一例の説明図である。図１（ａ）はインラインミキサで用いる鎖の一例を示すモデル図である。図１（ｂ）は鎖充填部の一例と、この鎖充填部の両端に封止部を接続する状態（図中右側の封止部のみ接続済み）を示すモデル図である。図１（ｃ）は図１（ｂ）に示した状態での鎖充填部と封止部のモデル断面図である。図１（ｄ）は鎖充填部の内部に鎖を充填し、鎖充填部の両端を封止部で封止した状態でのモデル断面図である。
【図２】鎖充填部の一方の端に封止部ではなく曲管を接続して鎖充填部に鎖を封止したインラインミキサの例を示すモデル断面図である。
【図３】細い鎖を用いたインラインミキサの例を示すモデル図である。図３（ａ）は細い鎖を示すモデル図である。図３（ｂ）は細い鎖を充填した状態を示すモデル断面図である。
【発明を実施するための形態】
【００１４】
以下、図１〜３を用いて本発明のインラインミキサについて説明するが、本発明はこの例に限定されるものではない。
【００１５】
図１（ａ）に本発明のインラインミキサで用いる鎖の一例１を示す。この鎖１は長さがＬ１で、鎖１を構成する輪の短径Ｄ１は後述する、管状の鎖充填部２の内径Ｄ２よりもわずかに小さい。このため、鎖１の鎖充填部２への出し入れが容易であるとともに、使用時に流体による鎖１の揺動、いわゆる「おどり」が生じにくくなるので、鎖１や鎖充填部２の磨耗や破壊による破片や異粉の発生を防ぐことが可能となる。
なお、短径Ｄ１を鎖充填部２の内径Ｄ２の８０％以上９９％以下とすると、鎖の揺動の抑制効果を大きくすることが可能となるので好ましい。より好ましくは９０％以上９９％以下である。
【００１６】
鎖１の材質としては特に限定はなく、使用目的により必要な防錆性、耐薬品性、耐熱性、対摩耗性、強度等を勘案して樹脂や金属等から適宜選択する。
また、図１では鎖１として長鎖環チェーンを用いた例を示したが、本発明の効果が得られるかぎり、必要に応じて短鎖環チェーン、捻り鎖、ロープチェーン、ボールチェーン等の、長鎖環チェーン以外の鎖を用いることができる。
【００１７】
図１（ｂ）には円管状の鎖充填部２の一例、および、鎖充填部２に脱着可能に接続する封止部の一例としてジョイント部３の外観を、図１（ｃ）にはこれらのモデル断面図を示す。
鎖充填部２は、図１では直管であるが、内部に鎖１の出し入れが可能な曲率であれば曲管であってもよい。また、鎖充填部をパイプベンダなどで部分的に曲げた場合であっても、曲率が大きすぎる場合以外は内部の鎖を取り出して、その清掃が可能であり、高い形状の自由度を備えることができ、このとき、組み込む装置の設計の自由度が高くなる。
【００１８】
この鎖充填部２の例では、鎖充填部２の両端にねじ部２ａを有する。このねじ部２ａと、細径部３ａを有するジョイント部３のねじ部３ｂとは螺合し、鎖充填部２とジョイント部３とが接続する。このジョイント部３の細径部３ａは、鎖１の輪の短径Ｄ１よりも細いため、ジョイント部３は鎖１を鎖充填部２の内部に封止する封止部として機能する。
【００１９】
なお、鎖充填部および封止部の材質は特に限定はなく、使用目的により必要な防錆性、耐薬品性、耐熱性、対摩耗性、強度等を勘案して樹脂や金属等から適宜選択する。なお、鎖充填部をフレキシブルなものとしてもよい。
また少なくとも鎖充填部の一部を透明樹脂製とすることにより、インラインミキサ内部の夾雑物の詰まり状況を視認することができる。
ここで、鎖充填部の形状は通常は円管を用いるが、必要に応じて角管などの異型管を用いることができる。
【００２０】
なお、図１（ｄ）では鎖充填部２の両端にそれぞれジョイント部３が接続しているが、インラインミキサとして用いる際に、流体の流れる下流側に１つジョイント部３を接続していれば、上向流部分で用いる場合を除き通常は十分である。
【００２１】
なお、鎖充填部２の長さＬ２は鎖１の長さＬ１よりも短い。このため、鎖１は図１（ｄ）のモデル断面図に示すように、鎖充填部２に充填されたときには本来の鎖１の長さＬ１よりも短く、短縮した状態となる。
このような短縮した状態となるように充填すれば、鎖充填部２内部に充填する鎖の量が増え、かつ、短縮していないときよりも流体の流れが複雑となるので、鎖１による攪拌効果が向上するとともに、上述した鎖の揺動抑制効果が高くなる。なお、好ましい鎖１の長さＬ１は鎖１が鎖充填部２内で揺動しない長さである。鎖の形状により適宜定まる。
【００２２】
なお、図１では１本の鎖１を用いた例を示したが、後述するように鎖充填部２内部を清掃するときに、鎖を鎖充填部２から容易に引き出しが容易となるので、１本の鎖を用いることが好ましい。
しかし、本発明では必ずしも１本の鎖を用いる必要はなく、複数本の鎖を鎖充填部２に充填してもよい。このときには複数本の鎖の合計の長さを鎖充填部２の長さより長くすることが好ましい。より好ましい鎖の合計の長さはこれら鎖が鎖充填部２内で揺動しない長さである。鎖の形状により適宜定まる。
【００２３】
本発明のインラインミキサの使用時に流体中の夾雑物が詰まり、流体を送れなくなるか、あるいは十分な流速で送れなくなるなどの問題が生じた場合には、一方または両方のジョイント部３を鎖充填部２から外し、鎖充填部２の内部から鎖１を引き出したのち、鎖１をこすり合わせる。または、水や適当な溶媒に浸漬し、引き上げることを繰り返す。それら操作により、鎖１に付着した夾雑物を容易かつ迅速に除去することができる。
【００２４】
図２には鎖充填部２の一方の端にジョイント部３ではなく、曲率の大きい曲管４（エルボ）を接続した例を示す。鎖１の輪の長径に比してこの曲管４の曲率が大きいので曲管４は封止部として機能する。
また、曲管ではなくＴ字管、いわゆるティーを「Ｔ」字の下側を鎖充填部２に接続することで封止部として用いることができる。また、Ｙ字管、いわゆるワイも同様にして用いることができる。
【００２５】
図１および図２では、鎖の輪の短径と鎖充填部との内径とがほぼ同じ鎖１を用いた例を示したが、図３には鎖１よりも細い鎖５を用いたインラインミキサの例を示す。
【００２６】
この例でも鎖５の長さＬ３は、鎖充填部２の長さＬ２よりも長く、鎖１を用いた場合よりも複雑な形状で鎖充填部２内部に充填されているので、より高い攪拌効果が得られる。
なお、この鎖５の輪の短径Ｄ４はジョイント部３の細径部３ａよりも細いので、ジョイント部３よりも細径部が細いジョイント部を用いることで鎖を封止することもできる。ただし、この場合には、必要な流量を確保できなくなるおそれが生じるので注意が必要である。流量については、送液する液体等により、鎖の形状を選択することで安定流量を確保することが可能になる。
【００２７】
この例では、ジョイント部３の鎖充填部２側の内部の面に、鎖５の輪の短径Ｄ４に比べて細かい、たとえば金属製や樹脂製の、ネット６を配置した複合端子部を用いた。また、ネット６の代わりに鎖５の輪の短径Ｄ４よりも小さい内径の孔を１つ以上、好ましくは複数有する有孔板を用いてもよく、これらを組み合わせてもよい。
【００２８】
以上、本発明について、好ましい実施形態を挙げて説明したが、本発明のインラインミキサは、上記実施形態の構成に限定されるものではない。
【００２９】
当業者は、従来公知の知見に従い、本発明のインラインミキサを適宜改変することができる。このような改変によってもなお、本発明のインラインミキサの構成を具備する限り、もちろん、本発明の範疇に含まれるものである。
【符号の説明】
【００３０】
１    鎖
２    鎖充填部
２ａ  ねじ部
３    ジョイント部
３ａ  細径部
３ｂ  ねじ部
４    曲管
５    鎖
６    ネット
【図１】
2020163357.tif 000003
【図２】
2020163357.tif 000004
【図３】
2020163357.tif 000005